(57)【要約】【課題】加熱用部材の非接触部分の温度を速やかに下げ、印刷の一時停止時間を従来よりも短くする。【解決手段】画像形成装置は印刷部、制御部を備える。印刷部は、給紙部、画像形成部、第１搬送部、定着部、温度センサー、第２搬送部を含む。幅狭用紙を用いて印刷する幅狭印刷ジョブの場合、制御部は、ヒーターで熱せられる定着用回転体の周面のうち、用紙が接しない非接触部分の温度（非接触部分温度）を認識する。非接触部分温度が白紙通紙温度を超えたとき、制御部は幅狭用紙よりも幅が広い幅広用紙を温度調整用紙として給紙部に給紙させる。制御部は、温度調整用紙を定着部に通過させる。【選択図】図６
2018205406.tif 000002
【特許請求の範囲】
【請求項１】
用紙を搬送しつつ、用紙に印刷を行う印刷部と、
前記印刷部を制御する制御部と、を備え、
前記印刷部は、
複数種のサイズの用紙を収容でき、印刷ジョブのとき用紙を供給する給紙部と、
トナー像を形成し、用紙を搬送しつつ用紙にトナー像を転写する画像形成部と、
前記給紙部の用紙搬送方向下流側に設けられ、用紙を前記画像形成部に向けて搬送する第１搬送部と、
前記画像形成部よりも用紙搬送方向下流側に設けられ、ヒーターを含む定着用回転体を含み、前記画像形成部を通過した用紙を搬送しつつ加熱、加圧する定着部と、
前記定着用回転体の周面の温度を検知する温度センサーと、
前記定着部を通過した用紙を搬送する第２搬送部と、を含み、
前記用紙搬送方向と垂直な方向である特定方向の幅が印刷可能な最大幅よりも狭い用紙である幅狭用紙を用いて印刷する幅狭印刷ジョブの場合、
前記制御部は、
前記定着用回転体の周面のうち、用紙が接しない非接触部分の温度である非接触部分温度を認識し、
前記非接触部分温度が予め定められた白紙通紙温度を超えたとき、前記幅狭用紙よりも前記特定方向の幅が広い幅広用紙を温度調整用紙として前記給紙部に給紙させ、
前記温度調整用紙を給紙したとき、前記ヒーターへの通電を一時停止し、前記幅狭用紙の給紙を前記給紙部に一時停止させ、前記幅狭用紙への画像形成を前記画像形成部に一時停止させ、
前記温度調整用紙が前記定着部を通過するように、前記温度調整用紙を前記印刷部に搬送させ、
前記温度調整用紙の前記定着部の通過後、前記ヒーターへの通電を再開し、前記幅狭用紙の給紙を前記給紙部に再開させ、前記幅狭用紙への画像形成を前記画像形成部に再開させることを特徴とする画像形成装置。
【請求項２】
前記印刷部は前記両面搬送部を含み、
前記両面搬送部は、
前記第２搬送部と前記第１搬送部を接続し、
前記定着部を通過した用紙を前記第１搬送部に送り返し、
前記制御部は、
前記温度調整用紙を前記両面搬送部に進入させ、
前記温度調整用紙を前記両面搬送部に搬送させ、
前記第１搬送部に送り返された前記温度調整用紙を前記印刷部に搬送させ、
前記温度調整用紙を機外に排出させることを特徴とする請求項１に記載の画像形成装置。
【請求項３】
前記制御部は、前記幅狭印刷ジョブの完了後、前記温度調整用紙の機外への排出を前記印刷部に行わせることを特徴とする請求項２に記載の画像形成装置。
【請求項４】
前記制御部は、
前記温度調整用紙が前記定着部を通過した後の前記非接触部分温度を認識し、
前記非接触部分温度が予め定められた再開温度以下になるまで、前記温度調整用紙が前繰り返し前記定着部を通過するように、前記温度調整用紙を前記印刷部に搬送させることを特徴とする請求２又は３に記載の画像形成装置。
【請求項５】
前記幅狭印刷ジョブを連続して実行するとき、
前記制御部は、
先の前記幅狭印刷ジョブが完了しても前記温度調整用紙の排出を前記印刷部に行わせず、
後の前記幅狭印刷ジョブの実行中に前記非接触部分温度が前記白紙通紙温度を超えたとき、
前記両面搬送部が保持する前記温度調整用紙が前記定着部を通過するように、前記印刷部に前記温度調整用紙を搬送させることを特徴とする請求項２乃至４の何れか１項に記載の画像形成装置。
【請求項６】
前記温度調整用紙を給紙した前記幅狭印刷ジョブが完了した場合、
前記制御部は、
次の印刷ジョブが前記温度調整用紙と同じサイズの用紙を用いる印刷ジョブであるとき、前記両面搬送部に退避している前記温度調整用紙への印刷を前記印刷部に行わせることを特徴とする請求項２乃至５の何れか１項に記載の画像形成装置。
【請求項７】
前記温度調整用紙を給紙した前記幅狭印刷ジョブが完了した場合、
前記制御部は、
実行待ちの印刷ジョブに前記温度調整用紙と同じサイズの用紙を用いる印刷ジョブが含まれているとき、
前記温度調整用紙と同じサイズの用紙を用いる印刷ジョブの印刷順を１番目に設定し、
前記両面搬送部に退避している前記温度調整用紙への印刷を前記印刷部に行わせることを特徴とする請求項２乃至６の何れか１項に記載の画像形成装置。
【請求項８】
前記幅狭印刷ジョブが前記幅狭用紙の片面に印刷する片面印刷のとき、
前記制御部は、前記温度調整用紙を前記両面搬送部に進入させ、
前記幅狭印刷ジョブが前記幅狭用紙の両面に印刷する両面印刷のとき、
前記制御部は、前記温度調整用紙を前記両面搬送部に進入させず、前記温度調整用紙を機外に排出させることを特徴とする請求項２乃至７の何れか１項に記載の画像形成装置。
【請求項９】
前記幅広用紙は、印刷可能な用紙のうち、前記特定方向の幅が最大の用紙であることを特徴とする請求項１乃至８の何れか１項に記載の画像形成装置。
【請求項１０】
前記制御部は、
前記給紙部に収容される用紙のサイズを認識し、
前記幅狭印刷ジョブ中、前記非接触部分温度が前記白紙通紙温度を超えた場合、
予め定められた最大幅用紙が前記給紙部に収容されていないとき、前記温度調整用紙を前記給紙部に給紙させず、
前記非接触部分温度が前記白紙通紙温度を超える前では、印刷速度が予め定められた基準印刷速度となるように、前記給紙部に前記幅狭用紙を給紙させ、
前記非接触部分温度が前記白紙通紙温度を超えた後、前記印刷速度が前記基準印刷速度よりも遅い速度となるように、前記給紙部に前記幅狭用紙を給紙させ、
前記最大幅用紙は、印刷可能な用紙のうち、前記特定方向の幅が最大の用紙であることを特徴とする請求項１乃至８の何れか１項に記載の画像形成装置。
【請求項１１】
通知を行う通知部を含み、
前記制御部は、
前記幅狭印刷ジョブ中、前記非接触部分温度が前記白紙通紙温度を超えた場合、
前記最大幅用紙が前記給紙部に収容されていないとき、前記最大幅用紙をセットすべき旨のメッセージを前記通知部に通知させ、
前記最大幅用紙が前記給紙部にセットされたとき、セットされた前記最大幅用紙を前記温度調整用紙として前記給紙部に給紙を行わせ、
前記温度調整用紙が前記定着部を通過した後、前記印刷速度が前記基準印刷速度となるように、前記給紙部に前記幅狭用紙を給紙させることを特徴とする請求項１０に記載の画像形成装置。
【請求項１２】
自機の機内温度を検知するための機内温度センサーを含み、
前記制御部は、
前記機内温度センサーの出力に基づき、前記機内温度を認識し、
前記機内温度が高いほど前記白紙通紙温度を低くし、
前記機内温度が低いほど前記白紙通紙温度を高くすることを特徴とする請求項１乃至１１の何れか１項に記載の画像形成装置。
【請求項１３】
前記制御部は、
前記幅狭印刷ジョブ中、前記非接触部分温度が前記白紙通紙温度を超えた場合、
前記定着部に用紙を通過させる残りの回数である残り回数を確認し、
前記残り回数が予め定められた基準回数以上のとき、前記温度調整用紙を前記給紙部に給紙させ、
前記残り回数が前記基準回数未満のとき、前記温度調整用紙を前記給紙部に給紙させず、かつ、印刷速度が予め定められた基準印刷速度よりも遅い速度となるように、前記給紙部に前記幅狭用紙を給紙させることを特徴とする請求項１乃至１２の何れか１項に記載の画像形成装置。
【請求項１４】
複数の排出トレイを有し、
前記制御部は、前記温度調整用紙と前記幅狭用紙とが異なる前記排出トレイに排出されるように、前記前記温度調整用紙と前記幅狭用紙を搬送させることを特徴とする請求項１乃至１３の何れか１項に記載の画像形成装置。
【発明の詳細な説明】
【技術分野】
【０００１】
本発明は、トナー像を加熱する定着部を備える画像形成装置に関する。
【背景技術】
【０００２】
画像形成装置には、トナーを用いて印刷を行うものがある。このような画像形成装置には、例えば、複合機、プリンター、複写機、ＦＡＸ装置がある。トナーを用いる画像形成装置には、定着装置が設けられる。定着装置はトナー像を用紙に定着させる。定着のため、定着装置は用紙（トナー像）を加熱、加圧する。定着装置は、回転する加熱用部材を含む。ここで、印刷に用いる用紙は複数種ある。小サイズ用紙を複数枚印刷するとき、加熱用部材の小サイズ用紙と接しない部分（非接触部分）の温度が、過度に上昇することがある。非接触部分の温度上昇に関する技術の一例が特許文献１に記載されている。
【０００３】
具体的に、特許文献１には、転写材が担持する画像をニップ部で転写材に定着する定着部を有し、連続して転写材に画像を形成する際、転写材がニップ部の長手方向に対して幅が小さい小サイズ転写材である場合、ニップ部において小サイズ転写材が通過しない領域に発生する非通紙部昇温を解消するため、画像形成間隔を最速間隔と非通紙部昇温解消間隔とで切り替えながら画像を形成し、非通紙部昇温解消間隔で画像を形成するとき、画像形成部の動作を停止する画像形成装置が記載されている。非通紙部昇温が発生する小サイズ転写材を連続して通紙する場合、非画像形成時における画像形成部の動作時間を極力減らそうとする（特許文献１：請求項１、段落［００１１］参照）。
【先行技術文献】
【特許文献】
【０００４】
【特許文献１】特開２０１３−２３５１８０号公報
【発明の概要】
【発明が解決しようとする課題】
【０００５】
定着装置はヒーターを含む。ヒーターは加熱用部材を熱せる。加熱用部材は回転する。定着装置は、用紙を搬送しつつ、トナー像を用紙に定着させる。小サイズ用紙に印刷するとき、加熱用部材のうち小サイズ用紙と接触する部分（接触部分）は、用紙に熱が奪われる。接触部分を定着に適した温度で保つ必要がある。そのため、小サイズ用紙に印刷する間、ヒーターへの通電が行われる。
【０００６】
加熱用部材のうち、非接触部分は小サイズ用紙と接触しない。そのため、失う熱が接触部分に比べ少ない。小サイズ用紙の印刷が続いたとき、非接触部分の温度が上昇していく。非接触部分の温度が上昇しすぎると、加熱用部材、及び、加熱用部材の周辺の部材が熱によるダメージを受けることがある。そこで、非接触部分の温度が過度に上昇したとき、非接触部分の温度を下げるための処理がなされる。
【０００７】
例えば、温度低下のため、ヒーターへの通電及び印刷動作を一時的に停止することがある。非接触部分の熱は、画像形成装置内の空気に放出される。非接触部分の温度が所定値下がったとき、ヒーターへの通電及び印刷動作が再開される。
【０００８】
しかし、非接触部分の温度下降が緩やかな場合がある。例えば、加熱用部材や加熱用部材の周辺部材に熱容量が比較的大きい材料を用いる場合がある。また、画像形成装置の機内の温度が高い場合もある。これらの場合、非接触部分の温度が下がりにくい。非接触部分の温度低下に時間がかかると、長時間印刷を再開することができない。従来の画像形成装置は、加熱用部材の非接触部分の温度を速やかに下げられない場合があるという問題がある。ユーザーの待ち時間が長くなる場合があり、不便であるという問題がある。
【０００９】
特許文献１に記載の技術は、画像形成間隔を最速間隔と非通紙部昇温解消間隔とで切り替える。つまり、特許文献１に記載の技術は、非接触部分の温度が過度に上昇したとき、印刷動作の一時停止時間を設ける技術である。そのため、非接触部分の温度の低下が遅い場合、一時停止時間が長くなる。特許文献１に記載の技術は、従来技術の問題を含む。特許文献１に記載の技術では、上記の問題を解決することができない。
【００１０】
本発明は、加熱用部材の非接触部分の温度を速やかに下げ、印刷の一時停止時間を従来よりも短くする。
【課題を解決するための手段】
【００１１】
上記課題を解決するため、請求項１に係る画像形成装置は、印刷部、制御部を含む。前記印刷部は、用紙を搬送しつつ、用紙に印刷を行う。前記制御部は、前記印刷部を制御する。前記印刷部は、給紙部、画像形成部、第１搬送部、定着部、温度センサー（端部温度センサー）、第２搬送部を含む。前記給紙部は、複数種のサイズの用紙を収容でき、印刷ジョブのとき用紙を供給する。前記画像形成部は、トナー像を形成し、用紙を搬送しつつ用紙にトナー像を転写する。前記第１搬送部は、前記給紙部の用紙搬送方向下流側に設けられ、用紙を前記画像形成部に向けて搬送する。前記定着部は、前記画像形成部よりも用紙搬送方向下流側に設けられる。前記定着部は、ヒーターを含む定着用回転体を含む。前記定着部は前記画像形成部を通過した用紙を搬送しつつ加熱、加圧する。前記温度センサーは、前記定着用回転体の周面の温度を検知する。前記第２搬送部は、前記定着部を通過した用紙を搬送する。前記用紙搬送方向と垂直な方向である特定方向の幅が印刷可能な最大幅よりも狭い用紙である幅狭用紙を用いて印刷する幅狭印刷ジョブの場合、前記制御部は、前記定着用回転体の周面のうち、用紙が接しない非接触部分の温度である非接触部分温度を認識する。前記非接触部分温度が予め定められた白紙通紙温度を超えたとき、前記制御部は、前記幅狭用紙よりも前記特定方向の幅が広い幅広用紙を温度調整用紙として前記給紙部に給紙させる。前記温度調整用紙を給紙したとき、前記制御部は前記ヒーターへの通電を一時停止する。また、前記制御部は前記幅狭用紙の給紙を前記給紙部に一時停止させる。また、前記制御部は前記幅狭用紙への画像形成を前記画像形成部に一時停止させる。前記制御部は前記温度調整用紙が前記定着部を通過するように、前記温度調整用紙を前記印刷部に搬送させる。前記温度調整用紙の前記定着部の通過後、前記制御部は前記ヒーターへの通電を再開する。また、前記制御部は前記幅狭用紙の給紙を前記給紙部に再開させる。また、前記制御部は前記幅狭用紙への画像形成を前記画像形成部に再開させる。
【発明の効果】
【００１２】
本発明によれば、自然放熱により温度低下を待つ場合に比べ、定着用回転体の非接触部分の温度を速やかに下げることができる。印刷の一時停止時間を従来よりも短くすることができる。
【図面の簡単な説明】
【００１３】
【図１】実施形態に係るプリンターの一例を示す図である。
【図２】実施形態に係るプリンターの一例を示す図である。
【図３】実施形態に係る後処理装置の一例を示す。
【図４】実施形態に係る加熱ローラーの加熱と温度検知の一例を示す図である。
【図５】実施形態に係るプリンターでの幅狭印刷ジョブの流れの一例を示すフローチャートである。
【図６】実施形態に係るプリンターでの幅狭印刷ジョブの流れの一例を示すフローチャートである。
【図７】実施形態に係るプリンターでの温度調整用紙の排出の流れの一例を示すフローチャートである。
【発明を実施するための形態】
【００１４】
以下、図１〜図７を用いて、本発明に係る画像形成装置を説明する。以下の説明では、画像形成装置としてプリンター１００を例に挙げて説明する。但し、本実施の形態に記載されている構成、配置等の各要素は、発明の範囲を限定するものではなく単なる説明例にすぎない。
【００１５】
（画像形成装置の概要）
まず、図１〜図３に基づき、実施形態に係るプリンター１００を説明する。図１、図２は、実施形態に係るプリンター１００の一例を示す図である。図３は実施形態に係る後処理装置１０の一例を示す。
【００１６】
プリンター１００は制御部１、印刷部２、記憶部１ａを含む。制御部１は、プリンター１００の各部を制御する。制御部１は、ＣＰＵ１１、画像処理部１２を含む。ＣＰＵ１１は演算、制御を行う。画像処理部１２は印刷に必要な画像処理を画像データに施す。記憶部１ａはＲＯＭ、ＲＡＭ、ＨＤＤのような記憶装置を含む。記憶部１ａは制御用プログラムやデータを記憶する。
【００１７】
制御部１は、操作パネル３と通信可能に接続される。操作パネル３は、表示パネル３１（通知部に相当）、タッチパネル３２、ハードキー３３を含む。制御部１は、表示パネル３１の表示を制御する。また、制御部１は、タッチパネル３２の出力に基づき、表示パネル３１に表示された操作画像のうち、操作された操作画像を認識する。例えば、操作画像は、ソフトキーやボタンである。また、制御部１は、操作されたハードキー３３を認識する。操作画像やハードキー３３への操作により、操作パネル３は使用者の操作を受け付ける。例えば、操作パネル３は、印刷済用紙の排出先の設定を受け付ける。また、操作パネル３はプリンター１００に収容する用紙のサイズの設定を受け付ける。
【００１８】
印刷部２は用紙を搬送しつつ、用紙に印刷を行う。印刷部２は、給紙部４、第１搬送部５、画像形成部６、定着部７、第２搬送部８、両面搬送部９を含む。
【００１９】
制御部１は、印刷部２の動作を制御する。制御部１は、給紙部４、第１搬送部５、画像形成部６、定着部７、第２搬送部８、両面搬送部９の動作を制御する。給紙部４は、複数の給紙カセット４１を含む。図２は、給紙カセット４１を２つ設ける例を示す。給紙カセット４１は、３つ以上設けてもよい。給紙カセット４１を複数設ける場合、給紙カセット４１は、上下方向に積まれる。各給紙カセット４１は用紙を収容する。給紙カセット４１にセットする用紙サイズを異ならせることにより、給紙部４は複数種の用紙を収容できる。用紙の供給のため、給紙ローラー４２が給紙カセット４１ごとに設けられる。制御部１は、何れかの給紙カセット４１から用紙を供給させる。印刷ジョブのとき、制御部１は、用紙を供給する給紙カセット４１に対応する給紙ローラー４２を回転させる。
【００２０】
図２示すように、第１搬送部５は、第１搬送路５１を含む。第１搬送路５１は、給紙部４と画像形成部６を繋ぐ。第１搬送路５１に沿って、複数の搬送ローラー対５２が設けられる。印刷ジョブのとき、制御部１は各搬送ローラー対５２を回転させる。印刷ジョブのとき、制御部１は、画像形成部６に向けて、給紙部４から供給された用紙を第１搬送部５に搬送させる。
【００２１】
図２に示すように、画像形成部６は、感光体ドラム６１、帯電装置６２、露光装置６３、現像装置６４、転写ローラー６５（転写装置）を含む。用紙は感光体ドラム６１と転写ローラー６５のニップに進入する。印刷のとき、制御部１は、感光体ドラム６１と転写ローラー６５を回転させる。制御部１は、感光体ドラム６１の帯電を帯電装置６２に行わせる。制御部１は、感光体ドラム６１の走査、露光を露光装置６３に行わせる。これにより、画像データに応じた静電潜像が感光体ドラム６１に形成される。制御部１はトナーによる静電潜像の現像を現像装置６４に現像させる（トナー像の形成）。制御部１は、搬送用紙へのトナー像の転写を転写ローラー６５に行わせる。制御部１は、用紙を画像形成部６に搬送させつつ、用紙にトナー像を画像形成部６に転写させる。
【００２２】
図２に示すように、定着部７は、画像形成部６の用紙搬送方向下流側に設けられる。定着部７は、加熱ローラー７１（定着用回転体）、加圧ローラー７２、ヒーター７３を含む。加熱ローラー７１はヒーター７３を内蔵する。加圧ローラー７２は加熱ローラー７１に圧接する。用紙は、加熱ローラー７１と加圧ローラー７２のニップ（定着ニップ）を通過する。定着ニップの通過により、トナー像は用紙に定着する。制御部１は、加熱ローラー７１と加圧ローラー７２を回転させる。制御部１は、画像形成部６を通過した用紙を定着部７に搬送させる。制御部１は、搬送しつつ用紙を加熱、加圧する。
【００２３】
図２に示すように、第２搬送部８は、第２搬送路８１を含む。第２搬送路８１は、定着部７と排出口１０１を繋ぐ。第２搬送路８１に沿って、第２搬送ローラー対８２、排出ローラー対８３が設けられる。印刷ジョブのとき、制御部１は各回転体を回転させる。印刷ジョブのとき、制御部１は、定着部７を通過した用紙を第２搬送部８に搬送させる。
【００２４】
図２に示すように、両面搬送部９は両面搬送路９１を含む。両面搬送路９１は、第２搬送部８と第１搬送部５を接続する。両面搬送部９は、定着部７を通過した用紙を第１搬送部５（画像形成部６の上流）に送り返す。両面印刷のとき、制御部１は、両面搬送部９に用紙を進入させる。第２搬送路８１と両面搬送路９１の接続部分に分岐部９２が設けられる。また、両面搬送路９１に沿って、第１返送ローラー対９３、中間トレイ９４、スイッチバックローラー対９５、第２返送ローラー対９６が設けられる。
【００２５】
分岐部９２は、定着部７の用紙排出側と排出ローラー対８３の間に設けられる。分岐部９２は回転する。分岐部９２は用紙の搬送方向をガイドする。制御部１は分岐部９２の角度を制御する。両面印刷のとき、制御部１は、片面印刷済の用紙が両面搬送路９１に導かれるように、分岐部９２を回転させる。片面印刷のとき、及び、両面印刷済の用紙を排出するとき、制御部１は、片面印刷済の用紙が排出ローラー対８３に導かれるように、分岐部９２を回転させる。
【００２６】
分岐部９２とスイッチバックローラー対９５の間に複数の第１返送ローラー対９３が設けられる。中間トレイ９４の一端に、スイッチバックローラー対９５が設けられる。両面印刷のとき、制御部１はスイッチバックローラー対９５を回転させる。まず、制御部１は、中間トレイ９４の他端側（右側）に向けて片面印刷済の用紙を送り込む。片面印刷済の用紙の後端がスイッチバックローラー対９５に最も近い第１返送ローラー対９３を抜けたとき、制御部１は、スイッチバックローラー対９５を逆回転させる。片面印刷済の用紙の搬送方向が反転する。
【００２７】
反転によりスイッチバックローラー対９５から用紙が吐き出される。片面印刷済の用紙は、スイッチバックローラー対９５と第１搬送部５を繋ぐ両面搬送路９１に送られる。この搬送路には、複数の第２返送ローラー対９６が設けられる。制御部１は、第２返送ローラー対９６を回転させる。その結果、前後と表裏が反転された用紙は、画像形成部６の上流に送り返される。制御部１は、返送された片面印刷済の用紙の未印刷面へのトナー像の転写を画像形成部６に行わせる。両面印刷ジョブのとき、制御部１は、両面搬送部９の各回転体を回転させる。
【００２８】
上述したように、印刷部２は用紙の給紙、搬送を行う回転体を複数含む。プリンター１００は、モーター２ｍを複数含む。なお、図２では、便宜上、モーター２ｍを１つのみ図示している。モーター２ｍは印刷部２の各回転体を回転させる。印刷ジョブのとき、制御部１はモーター２ｍを回転させる。これにより、制御部１は、給紙、用紙搬送に関する上述の回転体（各ローラー、感光体ドラム６１、転写ローラー６５）を回転させる。
【００２９】
図２に示すように、プリンター１００の左側面に後処理装置１０が取り付けられる。定着部７を通過した印刷済用紙は、排出ローラー対８３（排出口１０１）から吐き出される。後処理装置１０は搬入口１０２を含む。印刷済用紙は、搬入口１０２から後処理装置１０内に送り込まれる。図３に示すように、後処理装置１０には、上部排出トレイ１０ｂ、第１排出トレイ１０ｃ、第２排出トレイ１０ｄが設けられる。また、後処理装置１０には、後処理制御部１０ａ（図１参照）が設けられる。
【００３０】
後処理制御部１０ａは後処理装置１０の各部の動作を制御する。後処理制御部１０ａはＣＰＵやマイコンのような処理回路やメモリーを含む基板である。制御部１は、後処理制御部１０ａに指示を与える。制御部１の指示に基づき、後処理制御部１０ａは後処理装置１０の動作を制御する。後処理装置１０内には、複数の用紙搬送用のローラー対１０ｅが設けられる。各ローラー対１０ｅは後処理装置１０に設けられたモーターの駆動力を受けて回転する。後処理制御部１０ａは、各ローラー対１０ｅを回転させて後処理装置１０の内部で用紙を搬送する。
【００３１】
上部排出トレイ１０ｂは、後処理装置１０の上面に設けられる。第１排出トレイ１０ｃは、第２排出トレイ１０ｄの上方に設けられる。第２排出トレイ１０ｄは第１排出トレイ１０ｃの下方に設けられる。操作パネル３を操作し、排出先（使用する排出トレイ）を設定することができる。コンピューター２００で排出先を設定することもできる。用紙排出先の仕分けのため、第１仕分けガイド１０ｆと第２仕分けガイド１０ｇが設けられる。第１仕分けガイド１０ｆと第２仕分けガイド１０ｇに対しそれぞれモーター（不図示）が設けられる。各仕分けガイドはそれぞれ回動する。排出先の設定に応じ、後処理制御部１０ａは、第１仕分けガイド１０ｆと第２仕分けガイド１０ｇを回動させる。第１排出トレイ１０ｃに排出する設定のとき、後処理制御部１０ａは搬送方向を第１排出トレイ１０ｃに向かう方向とする（図３の矢印Ａ）。上部排出トレイ１０ｂに排出する設定のとき、後処理制御部１０ａは、搬送方向を上部排出トレイ１０ｂに向かう方向とする（図３の方向Ｂ）。第２排出トレイ１０ｄに排出する設定のとき、後処理制御部１０ａは、搬送方向を第２排出トレイ１０ｄに向かう方向とする（図３の方向Ｃ）。
【００３２】
又、通信部１３はＰＣやサーバーのようなコンピューター２００と通信するためのインターフェイスである。通信部１３は、ネットワークを介し、コンピューター２００と通信する。通信部１３は、コンピューター２００から印刷用データＤ１を受信する。印刷用データＤ１は印刷内容と印刷設定を含む。制御部１は、印刷用データＤ１に基づく印刷を印刷部２に行わせる。
【００３３】
（加熱ローラー７１の加熱と温度検知）
次に、図４を用いて、実施形態に係る加熱ローラー７１の加熱と温度検知の一例を説明する。図４は実施形態に係る加熱ローラー７１の加熱と温度検知の一例を示す図である。
【００３４】
ヒーター７３が加熱ローラー７１に内蔵される。なお、図４では加圧ローラー７２の図示は省略している。ヒーター７３は、例えば、ハロゲンヒータである。ヒーター７３はＩＨ方式のものでもよい。また、加熱用の部材はローラーではなく、ベルトでもよい。ヒーター７３の長さは、加熱ローラー７１の周面の一端から他端にわたる。加熱ローラー７１の周面と用紙が接する。ヒーター７３の通電時、ヒーター７３は加熱ローラー７１の全体を熱する。図４では、１本のヒーター７３を加熱ローラー７１に内蔵する例を示す。
【００３５】
なお、加熱ローラー７１に内蔵するヒーター７３は複数本でもよい。複数本設ける場合、加熱ローラー７１の軸線方向に沿って、ヒーター７３を並べてもよい。例えば、ヒーター７３を３本設け、軸線方向に沿って加熱範囲を３分割し、それぞれの加熱範囲に対し、１つのヒーター７３を設けてもよい。
【００３６】
加熱ローラー７１に対し、２つの温度センサーが設けられる。２つの温度センサーのうち、一方は、加熱ローラー７１の軸線方向（用紙搬送方向と垂直な方向）の中心位置の温度を検知する。中心位置の温度を検知する温度センサーを、以下、中心温度センサー７４と称する。他方は、加熱ローラー７１の軸線方向の端部の温度を検知する。端部の温度を検知する温度センサーを、以下、端部温度センサー７５と称する。
【００３７】
各温度センサーは検知対象の温度に応じた電圧を出力する。各温度センサーは、サーミスターを含む。中心温度センサー７４の出力は制御部１に入力される。中心温度センサー７４の出力に基づき、制御部１は加熱ローラー７１の中心部分の温度を認識する。端部温度センサー７５の出力に基づき、制御部１は加熱ローラー７１の端部の温度を認識する。
【００３８】
（加熱ローラー７１の端部の昇温）
次に、図４を用いて、実施形態に係る加熱ローラー７１の端部の昇温について説明する。まず、プリンター１００では、中央通紙が行われる。中央通紙の場合、印刷部２は、印刷部２に含まれる各回転体の軸線方向の中心と、用紙の中心が重なるように用紙を搬送する。定着部７では、加熱ローラー７１の軸線方向の中心と、用紙の搬送方向と垂直な方向の中心が重なる。
【００３９】
プリンター１００では、Ａ３用紙が印刷可能である。そのため、用紙搬送方向と垂直な方向における加熱ローラー７１の周面（用紙と接する面）の長さは、Ａ３用紙短辺（Ａ４用紙長辺）と同じ、又は、Ａ３用紙短辺よりも所定値だけ長い。以下、用紙搬送方向と垂直な方向を特定方向と称する。プリンター１００では、特定方向の幅が最大の用紙は、Ａ３横又はＡ４縦である。
【００４０】
プリンター１００では、様々な幅の用紙を用いることができる。印刷に用いる用紙の特定方向の幅が最大幅Ｗ１（Ａ３短辺）よりも短いとき、加熱ローラー７１の端部の温度が過度に上昇することがある。例えば、はがき、Ｂ５、Ａ５、レターサイズの特定方向の幅は、Ａ３短辺よりも短い。
【００４１】
中央通紙を行うので、加熱ローラー７１の中央部分は用紙と接する。用紙は加熱ローラー７１の熱を奪う。そこで、制御部１は中心部分の温度を認識する。制御部１は、中心部分の温度が定着に適した温度（定着制御温度）で保たれるように、ヒーター７３に通電する。制御部１は、ヒーター７３のＯＮ／ＯＦＦを断続的に繰り返し、中心部分の温度を定着制御温度で保つ。
【００４２】
一方、特定方向の幅が狭い用紙の場合、加熱ローラー７１の周面のうち、用紙と接しない部分（非接触部分Ｐ１）が広くなる。図４に示す加熱ローラー７１のうち、斜線網掛部分が非接触部分Ｐ１である。非接触部分Ｐ１は非通紙領域と称することがある。一方、図４に示す加熱ローラー７１のうち、網掛けをしていない部分が用紙と接する部分（接触部分Ｐ０）である。接触部分Ｐ０を通紙領域と称することがある。非接触部分Ｐ１は接触部分Ｐ０よりも奪われる熱が少ない。中心部分の温度を定着制御温度で保つとき、非接触部分Ｐ１の温度が上昇していく。例えば、特定方向の幅が狭い用紙を連続印刷したとき、非接触部分Ｐ１の温度が上がりやすい。加熱ローラー７１の過度の温度上昇は、定着部７の部材にダメージを及ぼすことがある。そこで、プリンター１００では、非接触部分Ｐ１の温度が上昇したとき、速やかに非接触部分Ｐ１の温度を下げる処理を行う。
【００４３】
（幅狭印刷ジョブの流れ）
次に、図５、図６を用いて、実施形態に係るプリンター１００での幅狭印刷ジョブの流れの一例を説明する。図５、図６は、実施形態に係るプリンター１００での幅狭印刷ジョブの流れの一例を示すフローチャートである。
【００４４】
まず、幅狭印刷ジョブとは、幅狭用紙に印刷を行うジョブである。幅狭用紙とは、給紙部４に収容される用紙であって、特定方向（主走査方向）の幅が印刷可能な最大幅Ｗ１の用紙よりも狭い用紙である。例えば、レターサイズ、Ｂ５サイズのような用紙が幅狭用紙に該当する。
【００４５】
各給紙カセット４１には異なるサイズの用紙を収容することができる。そのため、幅狭用紙とは、給紙部４に収容される用紙のうち、特定方向（主走査方向）の幅が最も広い用紙以外の用紙ともいえる。制御部１は、各給紙カセット４１が収容する用紙のサイズを認識する。使用者は、給紙カセット４１に収容するサイズを指定する操作を操作パネル３に行うことができる。この場合、制御部１は、指定されたサイズを給紙カセット４１に収容される用紙のサイズと認識する。また、各給紙カセット４１に、サイズ検知センサーを設けてもよい（不図示）。サイズ検知センサーの出力に基づき、制御部１は、給紙カセット４１に収容された用紙のサイズを認識してもよい。
【００４６】
幅狭用紙による印刷を行うには、給紙カセット４１のうち、少なくとも１つに幅狭用紙が収容されている必要がある。そのため、図５のスタートの時点で、幅狭用紙が給紙部４（給紙カセット４１）にセットされている。図５のスタートは、幅狭用紙を用いる印刷ジョブを開始する時点である。通信部１３は、幅狭用紙を用いる印刷ジョブの印刷用データＤ１をコンピューター２００から受信している。
【００４７】
まず、制御部１は、機内温度を認識する（ステップ♯１１）。機内温度センサー１４は中心温度センサー７４、端部温度センサー７５とは異なる温度センサーである。例えば、機内温度センサー１４は、画像形成部６内、又は、画像形成部６の近傍に設けられる。機内温度センサー１４は、例えば、サーミスターを含む。機内温度センサー１４は、設置位置の温度（機内温度）に応じた電圧を出力する。印刷ジョブのとき、プリンター１００で消費された電力は熱に変換される。そのため、連続して多数枚を印刷したとき、機内の温度が上昇する。機内温度センサー１４の出力は、制御部１に入力される。機内温度センサー１４の出力に基づき、制御部１は機内温度を認識する。
【００４８】
認識した機内温度に基づき、制御部１は白紙通紙温度を定める（ステップ♯１２）。制御部１は、機内温度が高いほど白紙通紙温度を低く設定する。制御部１は、機内温度が低いほど白紙通紙温度を高く設定する。機内温度に対する白紙通紙温度を定めた温度設定用データＤ２が記憶部１ａに記憶される。制御部１は、認識した機内温度と温度設定用データＤ２Ｄ２に基づき、白紙通紙温度を設定する。なお、白紙通紙温度の詳細は後述する。
【００４９】
加熱ローラー７１の中央の温度が定着制御温度以下のとき、制御部１は、定着部７の予熱を開始する（ステップ♯１３）。加熱ローラー７１の中央の温度が定着制御温度を超えているとき、制御部１はステップ♯１３をスキップしてもよい。予熱開始に伴い、制御部１は、ヒーター７３への通電を開始する。また、制御部１は、加熱ローラー７１と加圧ローラー７２の回転を開始させる。中心温度センサー７４の出力に基づき、制御部１は、加熱ローラー７１の中央を定着に適した温度（定着制御温度）にまで熱する。
【００５０】
なお、加熱ローラー７１の中央と端部の両方を定着制御温度まで熱するようにしてもよい。この場合、加熱ローラー７１の中央と端部の何れか一方が定着制御温度以下のとき、制御部１は、定着部７の予熱を開始する。端部温度センサー７５の出力に基づき、制御部１は、加熱ローラー７１の端部も定着制御温度にまで熱する。なお、加熱ローラー７１の中央と端部の両方の温度が定着制御温度を超えているとき、制御部１はステップ♯１３はスキップする。
【００５１】
また、制御部１は、１枚の幅狭用紙の給紙を開始する（ステップ♯１４）。制御部１は、給紙された用紙の搬送、画像形成、定着を印刷部２に行わせる。制御部１は、第１搬送部５、画像形成部６、定着部７、第２搬送部８、後処理装置１０を動作させる。なお、両面印刷で片面印刷済用紙の未印刷面にトナー像を転写する場合、制御部１は、両面搬送部９に片面印刷済の用紙を供給させる。具体的に、制御部１は、第１搬送部５に片面印刷済の用紙を合流させる。そして、制御部１は、印刷ジョブで供給すべき全用紙を給紙したか否かを判定する（ステップ♯１５）。
【００５２】
幅狭印刷ジョブで供給すべき全用紙を給紙したとき（ステップ♯１５のＹｅｓ）、制御部１は印刷を停止させる（ステップ♯１６）。そして、本フローは終了する（エンド）。印刷を停止するとき、制御部１はモーター２ｍを停止させる。また、制御部１は、ヒーター７３への通電を停止する。制御部１は、給紙部４、第１搬送部５、画像形成部６、定着部７、第２搬送部８、両面搬送部９、後処理装置１０の動作を停止させる。
【００５３】
幅狭印刷ジョブで供給すべき全用紙を給紙していないとき（ステップ♯１５のＮｏ）、端部温度センサー７５の出力に基づき、制御部１は、加熱ローラー７１の端部の温度が白紙通紙温度を超えたか否かを確認する（ステップ♯１７）。言い換えると、制御部１は、定着用回転体の周面のうち、非接触部分Ｐ１の温度（非接触部分温度）を認識する。制御部１は、認識した温度が白紙通紙温度を超えているか否かを確認する。
【００５４】
上述のように、白紙通紙温度は機内温度に応じて定められる。ただし、白紙通紙温度は定着制御温度よりも高い温度とされる。また、白紙通紙温度は予め定められた異常温度よりも低い温度とされる。異常温度は、例えば、定着部７の部材の溶融のような異常（故障）が生ずる温度である。定着制御温度が摂氏百五十度、異常温度が摂氏二百数十度とすると、白紙通紙温度は、例えば、摂氏百七十〜百九十度程度に設定される。
【００５５】
白紙通紙温度を超えていないとき（ステップ♯１７）、加熱ローラー７１の端部の温度は過度に上昇していない。そのため、フローはステップ♯１４に戻る。白紙通紙温度を超えているとき、制御部１は、残り回数が基準回数以上であるか否かを確認する（ステップ♯１８）。残り回数は、これから用紙を定着部７に通過させる回数である。言い換えると、残り回数は、現時点から幅狭印刷ジョブ完了までに定着部７を通過させるべき用紙の枚数である。基準回数は、予め定められる。
【００５６】
残り回数が基準回数以上のとき（ステップ♯１８のＹｅｓ）、制御部１は、予め定められた最大幅用紙が給紙部４に収容されているか否かを確認する（ステップ♯１９）。最大幅用紙は、搬送可能な用紙のうち、特定方向のサイズが最大幅Ｗ１の用紙である。プリンター１００では、Ａ３又はＡ４用紙である。
【００５７】
最大幅用紙が給紙部４に収容されているとき（ステップ♯１９のＹｅｓ）、制御部１は、最大幅用紙を温度調整用紙として給紙部４に給紙させる（ステップ♯１１０）。最大幅用紙は、幅狭用紙よりも特定方向の幅が広い用紙（幅広用紙）である。なお、幅狭用紙よりも特定方向の幅が広く、最大幅用紙よりも特定方向の幅が狭い用紙を温度調整用紙として給紙してもよい。
【００５８】
温度調整用紙を給紙したとき、制御部１は、ヒーター７３への通電を一時停止させる（ステップ♯１１１）。また、制御部１は、幅狭用紙の給紙を給紙部４に一時停止させる（ステップ♯１１２）。さらに、制御部１は、幅狭用紙への画像形成を画像形成部６に一時停止させる（ステップ♯１１３）。
【００５９】
一方、制御部１は、温度調整用紙が定着部７を通過するように、温度調整用紙を印刷部２に搬送させる（ステップ♯１１４）。具体的に、制御部１は、モーター２ｍを回転させ、温度調整用紙を搬送する回転体を回転させる。制御部１は、給紙部４、第１搬送部５、画像形成部６、給紙部４、第２搬送部８に温度調整用紙を搬送させる。
【００６０】
温度調整用紙は白紙である。ステップ♯１１３により、温度調整用紙にはトナー像が転写されない。ステップ♯１１４により、温度調整用紙（白紙）用紙が定着部７を通過する。これにより、温度調整用紙は非接触部分Ｐ１の熱を奪う。非接触部分温度が低下する。
【００６１】
制御部１は、温度調整用紙を両面搬送部９に退避させる（ステップ♯１１５）。制御部１は、温度調整用紙の後端が分岐部９２を抜けるまで、温度調整用紙を搬送する。続いて、制御部１は、非接触部分温度が再開温度以下であるか否かを確認する（ステップ♯１１６）。制御部１は、非接触部分温度が十分に下がったか否かを確認する。
【００６２】
ステップ♯１１６では、制御部１は、温度調整用紙の通過後の非接触部分温度を認識する。言い換えると、端部温度センサー７５の出力に基づき、制御部１は、加熱ローラー７１の端部の温度を認識する。ここで、再開温度は、適宜定められる。再開温度は、定着制御温度と同じ温度でもよい。再開温度は白紙通紙温度よりも低い。
【００６３】
非接触部分温度が再開温度よりも高いとき（ステップ♯１１６のＮｏ）、制御部１は、定着部７に温度調整用紙を再度通過させる（ステップ♯１１７）。具体的に、制御部１は、モーター２ｍを動作させる。制御部１は、両面搬送部９、第１搬送部５、画像形成部６、定着部７、第２搬送部８の各搬送用回転体を回転させる。制御部１は、温度調整用紙を印刷部２に搬送させる。そして、フローは、ステップ♯１１５に戻る。非接触部分温度が再開温度以下になるまで、温度調整用紙が繰り返し定着部７を通過させられる。
【００６４】
非接触部分温度が再開温度以下となったとき（ステップ♯１１６のＹｅｓ）、制御部１は、幅狭印刷ジョブが片面印刷であるか、両面印刷であるかを確認する（ステップ♯１１８）。片面印刷のとき（ステップ♯１１８のＹｅｓ）、制御部１は、温度調整用紙を両面搬送部９に保持させる（ステップ♯１１９）。一方、両面印刷のとき（ステップ♯１１８のＮｏ）、制御部１は、温度調整用紙を何れかの排出トレイに排出させる（ステップ♯１２０）。両面搬送部９の温度調整用紙は両面印刷の邪魔になるためである。排出時、制御部１は、第２搬送部８、後処理装置１０に排出のための搬送を行わせる。なお、制御部１は、温度調整用紙と幅狭用紙の排出先を異ならせる。制御部１は、異なる排出トレイに排出されるように、幅狭用紙と温度調整用紙を印刷部２と後処理装置１０に搬送させる。
【００６５】
ステップ♯１１９、ステップ♯１２０の後、制御部１は、ヒーター７３への通電を再開する（ステップ♯１２１）。フローはステップ♯１４に戻る。ステップ♯１４に戻ったとき、制御部１は、幅狭用紙の給紙を給紙部４に再開させる（ステップ♯１４）。以後、制御部１は、幅狭用紙の印刷速度を、幅狭用紙の印刷開始当初と同じ速度とする。印刷開始当初、制御部１は、基準速度で印刷する。基準速度は、単位時間あたりの印刷枚数がプリンター１００の仕様上の印刷枚数となる時間である。例えば、基準速度は６０ｐｐｍである。つまり、印刷開始当初と同じ生産性で幅狭用紙の印刷が再開される。また制御部１は、新たに給紙された用紙の搬送、画像形成、定着を印刷部２に行わせる。制御部１は、第１搬送部５、画像形成部６、定着部７、第２搬送部８、後処理装置１０を動作させる。
【００６６】
ステップ♯１８において、残り回数が基準回数未満のとき（ステップ♯１８のＮｏ）、制御部１は、幅狭用紙の印刷を最後まで印刷部２に行わせる（ステップ♯１２２→エンド）。温度調整用紙の搬送にはある程度の時間がかかる。そこで、残り回数が少ないとき、温度調整用紙を給紙しない。印刷を継続する。これにより、幅狭印刷ジョブの完了までの時間を短くすることができる。
【００６７】
基準回数は、予め定められる。操作パネル３は基準回数の設定操作を受け付けてもよい。基準回数は、例えば、１〜数回である。非接触部分Ｐ１が異常温度を超えない程度の回数とする。また、白紙通紙温度を超えた後、幅狭印刷ジョブを続行する間（ステップ♯１２２での印刷）、制御部１は、印刷速度を基準速度よりも遅くする。ステップ♯１２２の印刷のとき、制御部１は、単位時間あたりの印刷枚数を、プリンター１００の仕様上の単位時間あたりの印刷枚数よりも少なくする。印刷速度を遅くするとき、例えば、制御部１は、給紙間隔を広げる。これにより、非接触部分Ｐ１の温度急上昇を防ぐことができる。
【００６８】
また、非接触部分温度が給紙許可温度を下回るごとに、制御部１は、新たな幅狭用紙を給紙するようにしてもよい。この場合、非接触部分温度が放熱により一定温度下がるごとに給紙が行われる。給紙許可温度は予め定められる。給紙許可温度は、異常温度よりも低い。また、給紙許可温度は、白紙通紙温度よりも低くする。
【００６９】
また、ステップ♯１９において、最大幅用紙が給紙部４に収容されていないとき（ステップ♯１９のＮｏ）、制御部１は、最大幅用紙をセットすべき旨のメッセージを表示パネル３１に表示（通知）させる（ステップ♯１２３）。そして、フローはステップ♯１４に戻る。ステップ♯１２３からステップ♯１４に戻ったとき、制御部１は、印刷速度を基準速度よりも遅くする。制御部１は基準速度で印刷するときよりも、給紙間隔を広くする。ステップ♯１２３からステップ♯１４に戻った場合、非接触部分温度が給紙許可温度を下回ったとき、制御部１は、新たな幅狭用紙を給紙するようにしてもよい。
【００７０】
（温度調整用紙の排出）
次に、図７を用いて、実施形態に係るプリンター１００での温度調整用紙の排出の流れの一例を示す。図７は、実施形態に係るプリンター１００での温度調整用紙の排出の流れの一例を示すフローチャートである。
【００７１】
片面印刷のとき、制御部１は、温度調整用紙を両面搬送部９に退避させる。制御部１は、温度調整用紙を何れかの時点で機外に排出させる。以下、片面印刷ジョブのときに給紙された温度調整用紙の排出処理の流れの一例を説明する。図７のスタートは、温度調整用紙が使用された片面印刷の幅狭印刷ジョブが完了した時点である。
【００７２】
まず、制御部１は、実行待ちの印刷ジョブの有無を確認する（ステップ♯２１）。印刷ジョブの実行中、処理中に通信部１３が印刷用データＤ１を受信することがある。この場合、後に受信した印刷用データＤ１に基づく印刷ジョブは、実行待ちとなる。印刷順は、通信部１３の受信順である。このように、プリンター１００は、１又は複数の実行待ちのジョブを保持することがある。記憶部１ａは実行待ちの印刷ジョブの印刷用データＤ１を保持する。
【００７３】
実行待ちの印刷ジョブがないとき（ステップ♯２１のＮｏ）、制御部１は、温度調整用紙を排出させる（ステップ♯２２）。制御部１は、温度調整用紙が排出される排出トレイと、幅狭用紙が排出される排出トレイと、を異ならせる。制御部１は、異なる排出トレイに排出されるように、幅狭用紙と温度調整用紙を印刷部２と後処理装置１０に搬送させる。
【００７４】
実行待ちの印刷ジョブがあるとき（ステップ♯２１のＮｏ）、制御部１は、実行待ちの印刷ジョブのなかに、温度調整用紙と同じサイズの用紙を用いる印刷ジョブがあるか否かを確認する（ステップ♯２３）。温度調整用紙と同じサイズの用紙を用いる印刷ジョブがあるとき、制御部１は、温度調整用紙と同じサイズの用紙を用いる印刷ジョブを次の印刷ジョブに設定する（ステップ♯２４）。
【００７５】
実行待ちの印刷ジョブのうち、印刷順が１番目の印刷ジョブが温度調整用紙と同じサイズの用紙を用いる印刷ジョブであるとき、制御部１は印刷順を変更しない。実行待ちの印刷ジョブのうち、温度調整用紙と同じサイズの用紙を用いる印刷ジョブの印刷順が２番目以降のとき、制御部１は印刷順を変更する。制御部１は温度調整用紙と同じサイズの用紙を用いる印刷ジョブの印刷順を１番目に繰り上げる。
【００７６】
そして、制御部１は、両面搬送部９に退避している温度調整用紙への印刷を印刷部２に行わせる（ステップ♯２５）。具体的に、制御部１は、両面搬送部９に温度調整用紙を搬送させる。制御部１は、温度調整用紙を第１搬送部５に送り返させる。制御部１は、送り返された温度調整用紙を第１搬送部５、画像形成部６、定着部７、第２搬送部８、後処理装置１０に搬送させる。また、制御部１は、温度調整用紙へのトナー像の転写を画像形成部６に行わせる。制御部１は、温度調整用紙のトナー像の定着を画像形成部６に行わせる。その結果、温度調整用紙は印刷されてから排出される（エンド）。温度調整用紙は無駄にならない。
【００７７】
温度調整用紙と同じサイズの用紙を用いる印刷ジョブがないとき（ステップ♯２３のＮｏ）、制御部１は、次に実行する印刷ジョブが両面印刷ジョブであるか否かを確認する（ステップ♯２６）。両面印刷ジョブのとき（ステップ♯２６のＹｅｓ）、フローはステップ♯２２に移行する。両面印刷ジョブのとき、温度調整用紙を退避させ続けられないためである。
【００７８】
次の印刷ジョブが片面印刷ジョブのとき（ステップ♯２６のＮｏ）、制御部１は、両面搬送部９に温度調整用紙を保持させる（ステップ♯２７）。そして、次の印刷ジョブの実行時に非接触部分温度が白紙通紙温度を超えた場合、制御部１は、保持している温度調整用紙を使用する（ステップ♯２８→エンド）。
【００７９】
つまり、制御部１は、保持された温度調整用紙を再度、定着部７に進入、通過させる。この場合、図６のステップ♯１１０では、制御部１は、両面搬送部９に温度調整用紙を供給させる。制御部１は新たな白紙を温度調整用紙として給紙部４に供給させない。制御部１は、両面搬送部９、第１搬送部５、画像形成部６、定着部７に温度調整用紙を搬送させる。温度調整用紙が定着部７を再通過する。制御部１は、再通過させた温度調整用紙を、再度、両面搬送部９に進入、保持させてもよい。また、制御部１は、再通過させた温度調整用紙を、何れかの排出トレイに排出させてもよい。なお、ステップ♯２８からエンド後、次の片面印刷ジョブが完了に伴い図７のフローチャートが開始される。
【００８０】
なお、次の印刷ジョブが片面印刷ジョブのとき（ステップ♯２６のＮｏ）、フローはステップ♯２２に移行してもよい。この場合、両面印刷、片面印刷を問わず、制御部１は、両面搬送部９の温度調整用紙を排出させる。
【００８１】
このようにして、実施形態に係る画像形成装置（プリンター１００）は、印刷部２、制御部１を含む。印刷部２は、用紙を搬送しつつ、用紙に印刷を行う。制御部１は、印刷部２を制御する。印刷部２は、給紙部４、画像形成部６、第１搬送部５、定着部７、温度センサー（端部温度センサー７５）、第２搬送部８を含む。給紙部４は、複数種のサイズの用紙を収容でき、印刷ジョブのとき用紙を供給する。画像形成部６は、トナー像を形成し、用紙を搬送しつつ用紙にトナー像を転写する。第１搬送部５は、給紙部４の用紙搬送方向下流側に設けられ、用紙を画像形成部６に向けて搬送する。定着部７は、画像形成部６よりも用紙搬送方向下流側に設けられる。定着部７は、ヒーター７３を含む定着用回転体（加熱ローラー７１）を含む。定着部７は画像形成部６を通過した用紙を搬送しつつ加熱、加圧する。温度センサーは、定着用回転体の周面の温度を検知する。第２搬送部８は、定着部７を通過した用紙を搬送する。用紙搬送方向と垂直な方向である特定方向の幅が印刷可能な最大幅Ｗ１よりも狭い用紙である幅狭用紙を用いて印刷する幅狭印刷ジョブの場合、制御部１は、定着用回転体の周面のうち、用紙が接しない非接触部分Ｐ１の温度である非接触部分温度を認識する。非接触部分温度が予め定められた白紙通紙温度を超えたとき、制御部１は、幅狭用紙よりも特定方向の幅が広い幅広用紙を温度調整用紙として給紙部４に給紙させる。温度調整用紙を給紙したとき、制御部１はヒーター７３への通電を一時停止する。また、制御部１は幅狭用紙の給紙を給紙部４に一時停止させる。また、制御部１は幅狭用紙への画像形成を画像形成部６に一時停止させる。制御部１は温度調整用紙が定着部７を通過するように、温度調整用紙を印刷部２に搬送させる。温度調整用紙の定着部７の通過後、制御部１はヒーター７３への通電を再開する。また、制御部１は幅狭用紙の給紙を給紙部４に再開させる。また、制御部１は幅狭用紙への画像形成を画像形成部６に再開させる。
【００８２】
これにより、定着用回転体のうちの幅狭用紙が接しない部分（非接触部分Ｐ１）の温度が過度に上昇したとき、制御部１は定着部７に温度調整用紙（幅広用紙）を通過させる。幅広用紙は幅狭用紙よりも特定方向の幅が広い。そのため、幅広用紙は非接触部分Ｐ１と接する。温度調整用紙は非接触部分Ｐ１の熱を奪う。従って、非接触部分Ｐ１の温度を速やかに下げることができる。その結果、印刷の一時停止時間を短くすることができる。使用者が温度低下を待つ時間を減らすことができる。
【００８３】
また、印刷部２は両面搬送部９を含む。両面搬送部９は第２搬送部８と第１搬送部５を接続する。両面搬送部９は定着部７を通過した用紙を第１搬送部５に送り返す。制御部１は温度調整用紙を両面搬送部９に進入させる。制御部１は温度調整用紙を両面搬送部９に搬送させる。制御部１は第１搬送部５に送り返された温度調整用紙を印刷部２に搬送させる。制御部１は温度調整用紙を機外に排出させる。温度調整用紙を両面搬送部９に退避させることができる。幅狭用紙と異なる手順で温度調整用紙を排出することができる。
【００８４】
また、制御部１は、幅狭印刷ジョブの完了後、温度調整用紙の機外への排出を印刷部２に行わせる。幅狭印刷ジョブで印刷された幅狭用紙と温度調整用紙が混ざらないようにすることができる。印刷された幅狭用紙と温度調整用紙を容易に仕分けることができる。
【００８５】
また、制御部１は、温度調整用紙が定着部７を通過した後の非接触部分温度を認識する。非接触部分温度が予め定められた再開温度以下になるまで、制御部１は、温度調整用紙が繰り返し定着部７を通過するように、温度調整用紙を印刷部２に搬送させる。これにより、非接触部分温度を速やかに下げることができる。かつ、非接触部分温度を大きく下げることができる。定着部７に複数回、温度調整用紙を通過させるだけでよい。
【００８６】
また、幅狭印刷ジョブを連続して実行するとき、制御部１は先の幅狭印刷ジョブが完了しても温度調整用紙の排出を印刷部２に行わせない。後の幅狭印刷ジョブの実行中に非接触部分温度が白紙通紙温度を超えたとき、制御部１は両面搬送部９が保持する温度調整用紙が定着部７を通過するように、印刷部２に温度調整用紙を搬送させる。これにより、同じ幅広用紙を繰り返し温度調整用紙として用いることができる。幅狭印刷ジョブごとに、幅広用紙が温度調整用紙として供給されない。幅広用紙の消費を抑えることができる。
【００８７】
また、温度調整用紙を給紙した幅狭印刷ジョブが完了した場合、次の印刷ジョブが温度調整用紙と同じサイズの用紙を用いる印刷ジョブであるとき、制御部１は、両面搬送部９に退避している温度調整用紙への印刷を印刷部２に行わせる。温度調整用紙を印刷に用いることができる。温度調整用紙として供給された幅広用紙は無駄にならない。
【００８８】
また、温度調整用紙を給紙した幅狭印刷ジョブが完了した場合、実行待ちの印刷ジョブに温度調整用紙と同じサイズの用紙を用いる印刷ジョブが含まれているとき、制御部１は、温度調整用紙と同じサイズの用紙を用いる印刷ジョブの印刷順を１番目に設定する。制御部１は両面搬送部９に退避している温度調整用紙への印刷を印刷部２に行わせる。これにより、温度調整用紙をできるだけ早く印刷に用いることができる。
【００８９】
また、幅狭印刷ジョブが幅狭用紙の片面に印刷する片面印刷のとき、制御部１は、温度調整用紙を両面搬送部９に進入させる。幅狭印刷ジョブが幅狭用紙の両面に印刷する両面印刷のとき、制御部１は、温度調整用紙を両面搬送部９に進入させず、温度調整用紙を機外に排出させる。これにより、両面搬送部９で温度調整用紙を保持できないとき、速やかに温度調整用紙を排出することができる。
【００９０】
また、幅広用紙は、印刷可能な用紙のうち、特定方向の幅が最大の用紙である。これにより、温度調整用紙により、非接触部分Ｐ１からできるだけ多くの熱を奪うことができる。非接触部分Ｐ１の温度を速やかに下げることができる。
【００９１】
また、制御部１は、給紙部４に収容される用紙のサイズを認識する。幅狭印刷ジョブ中、非接触部分温度が白紙通紙温度を超えた場合、制御部１は予め定められた最大幅用紙が給紙部４に収容されていないとき、温度調整用紙を給紙部４に給紙させない。非接触部分温度が白紙通紙温度を超える前では、印刷速度が予め定められた基準印刷速度となるように、給紙部４に幅狭用紙を給紙させる。非接触部分温度が白紙通紙温度を超えた後、制御部１は印刷速度が基準印刷速度よりも遅い速度となるように、給紙部４に幅狭用紙を給紙させる。最大幅用紙は、印刷可能な用紙のうち、特定方向の幅が最大の用紙である。これにより、最大幅用紙が給紙部４に収容されているときのみ、温度調整用紙を供給するようにすることができる。効率よく非接触部分Ｐ１の温度を下げられるときのみ、ヒーター７３への通電と印刷の一時停止が行われる。
【００９２】
また、画像形成装置は通知を行う通知部（表示パネル３１）を含む。幅狭印刷ジョブ中、非接触部分温度が白紙通紙温度を超えた場合、最大幅用紙が給紙部４に収容されていないとき、制御部１は、最大幅用紙をセットすべき旨のメッセージを通知部に通知させる。最大幅用紙が給紙部４にセットされたとき、制御部１は、セットされた最大幅用紙を温度調整用紙として給紙部４に給紙を行わせる。温度調整用紙が定着部７を通過した後、印刷速度が基準印刷速度となるように、制御部１は給紙部４に幅狭用紙を給紙させる。これにより、最大幅用紙の給紙部４へのセットを使用者に促すことができる。また、最大幅用紙が定着部７を通過した後、通常の印刷速度で印刷を再開することができる。
【００９３】
熱は高いところから低いところに伝わる。温度差が大きいほど熱は速く伝わる。そのため、一般に、画像形成装置の機内温度が高いほど、定着用回転体の温度は下がりにくい。画像形成装置の機内温度が低いほど、定着用回転体の温度は下がりやすい。そこで、画像形成装置は、自機の機内温度を検知するための機内温度センサー１４を含む。制御部１は機内温度センサー１４の出力に基づき、機内温度を認識する。制御部１は機内温度が高いほど白紙通紙温度を低くする。制御部１は機内温度が低いほど白紙通紙温度を高くする。これにより、定着用回転体の温度が下がりにくい環境のとき、温度が下がりやすい環境のときよりも、早めに温度調整用紙を供給することができる。幅狭用紙の非接触部分Ｐ１の過度の温度上昇を確実に防ぐことができる。
【００９４】
また、幅狭印刷ジョブ中、非接触部分温度が白紙通紙温度を超えた場合、制御部１は、定着部７に用紙を通過させる残りの回数である残り回数を確認する。残り回数が予め定められた基準回数以上のとき、制御部１は温度調整用紙を給紙部４に給紙させる。残り回数が基準回数未満のとき、制御部１は温度調整用紙を給紙部４に給紙させず、かつ、印刷速度が予め定められた基準印刷速度よりも遅い速度となるように、給紙部４に幅狭用紙を給紙させる。これにより、残り回数が少ないとき、温度調整用紙を供給せず、印刷を継続することができる。また、印刷速度を遅くし、非接触部分Ｐ１の温度上昇を緩やかにすることができる。
【００９５】
また、画像形成装置は複数の排出トレイを有する。制御部１は、温度調整用紙と幅狭用紙とが異なる排出トレイに排出されるように、温度調整用紙と幅狭用紙を搬送させる。温度調整用紙と幅狭印刷ジョブの印刷物（幅狭用紙）が混ざることを防ぐことができる。
【００９６】
本発明の範囲は実施形態の説明に限定されるものではなく、発明の主旨を逸脱しない範囲で種々の変更を加えて実施することができる。
【産業上の利用可能性】
【００９７】
本発明は、定着部を含む画像形成装置に利用可能である。
【符号の説明】
【００９８】
１００  プリンター（画像形成装置）      １      制御部
１４    機内温度センサー                ２      印刷部
４      給紙部                          ５      第１搬送部
６      画像形成部                      ７      定着部
７１    加熱ローラー（定着用回転体）    ７３    ヒーター
７５    端部温度センサー                ８      第２搬送部
９      両面搬送部                      １０ｂ  上部排出トレイ
１０ｃ  第１排出トレイ                  １０ｄ  第２排出トレイ
Ｐ１    非接触部分
【図１】
2018205406.tif 000003
【図２】
2018205406.tif 000004
【図３】
2018205406.tif 000005
【図４】
2018205406.tif 000006
【図５】
2018205406.tif 000007
【図６】
2018205406.tif 000008
【図７】
2018205406.tif 000009